(57)【要約】【課題】  大掛かりな仮設装置などを必要とせず鋼管杭を連続圧入して効率的に河川や堤防の護岸の改修等ができる構築方法と、それを利用した河川等の拡幅工法を提供する。【解決手段】  クレーン等の付帯設備を鋼管杭列ＰＬ上で作業可能に配置して、鋼管杭Ｐを回転圧入できる鋼管杭圧入装置１１を用いてコンクリート護岸１０２に鋼管杭列ＰＬを構築し、この鋼管杭列ＰＬから反力を得ながら鋼管杭Ｐを回転圧入して連続壁を構築する護岸の連続構築方法と、この方法を用いて連続壁を構築し、その後、拡幅作業を行う作業装置等を鋼管杭列ＰＬの近傍に配置して、河川側の土砂等の撤去あるいは近傍の水底を浚渫する河川等の拡幅工法。【選択図】図１
2005133348.tif 000002
【特許請求の範囲】
【請求項１】
鋼管杭を回転圧入できる鋼管杭圧入装置を用いてコンクリート護岸に鋼管杭列を構築し、この鋼管杭列から反力を得ながら、上記鋼管杭列に連続して鋼管杭を回転圧入して連続壁を構築する護岸の連続構築方法。
【請求項２】
鋼管杭を回転圧入できる鋼管杭圧入装置を用いてコンクリート護岸に鋼管杭列を構築し、この鋼管杭列から反力を得ながら掘削用鋼管杭を圧入してコンクリート護岸に対して所定の深さの穴を掘削し、その後上記掘削用鋼管杭を引き抜いて上記穴の中に鋼管杭を圧入して連続壁を構築する護岸の連続構築方法。
【請求項３】
請求項１又は請求項２の護岸の連続構築方法において、鋼管杭等を鋼管杭圧入装置に装着するために必要なクレーン、鋼管杭等の搬送装置等の付帯設備を鋼管杭列上で作業可能に配置して連続壁を構築する護岸の連続構築方法。
【請求項４】
請求項１又は請求項２又は請求項３の護岸の連続構築方法を用いて連続壁を構築し、その後、拡幅作業を行う作業装置あるいは撤去作業を行う撤去装置を鋼管杭列上又は鋼管杭列近傍に配置して、上記構築された連続壁の拡幅する側の土砂等の撤去あるいは近傍の水底を浚渫する河川等の拡幅工法。
【発明の詳細な説明】
【技術分野】
【０００１】
本発明は、河川や堤防等のコンクリート護岸あるいは石材等で構成した護岸（以下、コンクリート護岸という）の改修工事あるいは補強工事を行うための護岸の連続構築方法およびそれを利用した河川や沼、海岸等の拡幅工法に関するものである。
【背景技術】
【０００２】
河川の氾濫を防ぐために、川巾を拡幅したり川底を浚渫するなどして流路面積を大きくする工事が行われているが、従来の工法では護岸の巾以上の拡幅は不可能であった。また、従来の護岸の形状はコンクリートブロックなどを法面に積載したものが多く、これは河川の巾を狭める結果となっていた。
【０００３】
従来の川底を深くする方法には、例えば特開平９−３１９３５に開示されたのがある。この方法は河川に鋼矢板壁を対向して設置しこれを切梁で支え、この上にクレーンを搭載した移動台を走行レール上に移動自在としたものである。
【０００４】
このような従来の装置では、重機が河川の中に入るため川の流れをせき止めなくてはならず、改修作業が大掛かりとなり、費用も人手もかかり工期も長くなっていた。さらには、流路が狭くなるため、増水時には重機を撤収する作業が行えなくなるなどの問題点があった。
【特許文献１】特開平９−３１９３５
【発明の開示】
【発明が解決しようとする課題】
【０００５】
本発明は上記の点に鑑みなされたものであり、大掛かりな仮設装置又は仮設工事などを必要とせず、安定した状態で鋼管杭を連続して打設して効率的に河川や堤防の護岸の改修あるいは補強ができる構築方法と、それを利用した河川や沼、海岸等の拡幅工法を提供するものである。
【課題を解決するための手段】
【０００６】
本発明の要旨とするところは、鋼管杭を回転圧入できる鋼管杭圧入装置を用いてコンクリート護岸に鋼管杭列を構築し、この鋼管杭列から反力を得ながら、上記鋼管杭列に連続して鋼管杭を回転圧入して連続壁を構築する護岸の連続構築方法である。
【０００７】
また本発明の要旨とするところは、鋼管杭を回転圧入できる鋼管杭圧入装置を用いてコンクリート護岸に鋼管杭列を構築し、この鋼管杭列から反力を得ながら掘削用鋼管杭を圧入してコンクリート護岸に対して所定の深さの穴を掘削し、その後上記掘削用鋼管杭を引き抜いて上記穴の中に鋼管杭を圧入して連続壁を構築する護岸の連続構築方法である。
【０００８】
また本発明の要旨とするところは、上記の護岸の連続構築方法において、鋼管杭等を鋼管杭圧入装置に装着するために必要なクレーン、鋼管杭等の搬送装置等の付帯設備を鋼管杭列上で作業可能に配置して連続壁を構築する護岸の連続構築方法である。
【０００９】
また本発明の要旨とするところは、上記の護岸の連続構築方法を用いて連続壁を構築し、その後、拡幅作業を行う作業装置あるいは撤去作業を行う撤去装置を鋼管杭列上又は鋼管杭列近傍に配置して、上記構築された連続壁の拡幅する側の土砂等の撤去あるいは近傍の水底を浚渫する河川等の拡幅工法である。
【発明の効果】
【００１０】
請求項１の発明より、コンクリート護岸の改修工事や護岸の補強工事あるいは河川等の浚渫工事等が安全かつ効率よく行える。
特に従来では拡幅不可能な河川等における改修工事が可能となり、この拡幅工事を行うための仮設工事を一切必要としないので工期の短縮、工費の削減を図ることができる。また、鋼管杭を回転しながら圧入するため、アースオーガ等の装置も必要としない。
請求項２の発明より、上記請求項１の効果に加えて、護岸のコンクリート部分のみビットを備えた掘削用の鋼管杭で掘削してから掘削用鋼管杭を抜き、その後一般の鋼管杭すなわちビットなしの鋼管杭を圧入することにより工事のコストダウンが図れる。
請求項３の発明より、鋼管杭を鋼管杭圧入装置に装着するために必要なクレーン、鋼管杭の搬送装置等の付帯設備を設置するための架設工事の必要がないため、そのために工期の短縮、工費の削減を図ることができる。
請求項４の発明より、河川等の拡幅のための土砂等の撤去作業あるいは河川等の浚渫作業において、撤去用や浚渫用の作業機械を河川等の水中に投入せずに撤去作業や浚渫作業が行えるため、従来のような河川の流路変更などの撤去作業や浚渫作業に付帯した仮設工事は必要としない。また例えば洪水時のような増水時にもこれらの作業が可能となった。
【発明を実施するための最良の形態】
【００１１】
本発明を実施するための最良の形態は、クレーン等の付帯設備を鋼管杭列上で作業可能に配置して、鋼管杭を回転圧入できる鋼管杭圧入装置を用いてコンクリート護岸に鋼管杭列を構築し、この鋼管杭列から反力を得ながら、上記鋼管杭列に連続して鋼管杭を回転圧入して連続壁を構築する護岸の連続構築方法である。
また、本発明を実施するための最良の形態は、上記の護岸の連続構築方法を用いて連続壁を構築し、その後、拡幅作業を行う作業装置あるいは撤去作業を行う撤去装置を鋼管杭列上又は鋼管杭列近傍に配置して、上記構築された連続壁の河川側の土砂等の撤去あるいは近傍の水底を浚渫する河川等の拡幅工法である。
【実施例１】
【００１２】
図１は本発明の一実施例を示すもので図１は鋼管杭の構築方法を説明する正面図、図２は図１のI−I線断面図、図３は図１のII−II線断面図、図４は実施例３を示す説明図、図５は実施例４を示す説明図、図６は実施例５を示す説明図及び図７は従来の護岸の断面図である。
【００１３】
本実施例の護岸の連続構築方法を図に基づいて説明する。
図１において、符号１１は鋼管杭圧入装置であり、鋼管杭列ＰＬ上を自走して移動する。符号１２はクレーン、１３は鋼管杭の搬送装置、１４は鋼管杭搬送用の台車、１５は浚渫装置であり、これらの付帯設備はすべて鋼管杭列ＰＬ上に敷設したレール２０上を移動可能である。符号Ｐは鋼管杭である。
上記鋼管杭列ＰＬは、鋼管杭Ｐを連続的に圧入したものであるが、鋼管杭Ｐ、Ｐ同士を互いに接触して圧入することもでき、一定の間隔を有して圧入することもできる。
【００１４】
本実施例の護岸の連続構築方法は、河川に設けられたコンクリート護岸１０２に複数の鋼管杭Ｐ，Ｐを連続して圧入した鋼管杭列ＰＬ上に配置した鋼管杭圧入装置１１、クレーン１２、鋼管杭の搬送装置１３等を用いて行う。
上記鋼管杭圧入装置１１は、鋼管杭Ｐを圧入する際に、鋼管杭Ｐを回転させながら圧入することができ、同時に通常の圧入機のように鋼管杭Ｐを回転させないで上部からの圧力のみによって圧入できるものである。このように鋼管杭の圧入を回転によって行うため、アースオーガ等の大掛かりな装置を必要としない上に、作業も迅速となる。
【００１５】
なお、図１ではすでにコンクリート護岸１０２に鋼管杭Ｐ，Ｐを圧入してある状態を示しているが、構築の最初は鋼管杭圧入機１１は公知の反力架台から反力を得て適宜本数の鋼管杭Ｐを圧入するのである。そして、この鋼管杭Ｐに鋼管杭圧入機１１を配置し、以後は圧入された鋼管杭Ｐより反力を得て、新たな鋼管杭Ｐを圧入していくのである。
【００１６】
まず、鋼管杭圧入装置１１を用い、上記鋼管杭列ＰＬ上に配置したクレーン１２によって台車１４より鋼管杭Ｐを鋼管杭圧入装置１１に運搬して、装着する。その後、鋼管杭圧入装置１１を作動させて、鋼管杭Ｐを既設の鋼管杭Ｐに連続して圧入する。この場合鋼管杭Ｐは、既設の鋼管杭Ｐと接触して圧入しても良いが、一定の距離をおいて圧入しても良い。このときの反力は鋼管杭列ＰＬから得る。
また、本実施例では、コンクリート護岸１０２を打ち抜くために、鋼管杭として先端にビットを備えた掘削用鋼管杭を用いている。この掘削用鋼管杭Ｐを回転させながら支持層１０９まで圧入して鋼管杭列ＰＬ、すなわち連続壁を構築するのである。
【００１７】
その後、上記のようにして構築した鋼管杭列ＰＬの河川１０１側のコンクリート護岸１０２と土砂を撤去する。この撤去は鋼管杭列ＰＬ上に配置したブレーカ等の破砕機（図示せず）によって行う。これによって河川１０１の巾が広くなり、河川の有効利用が図れる。
【００１８】
さらに、図２に示すような岸に近い川底１０３の浚渫を行い河川の拡幅工事を行う。この浚渫工事は、鋼管杭列ＰＬ上に配置した浚渫作業装置１５によって行う。この装置は鋼管杭Ｐの上に限らず側部に配置しても良い。
上記のようにコンクリート護岸１０２と土砂の撤去作業と河川１０１の拡幅工事の終了後、鋼管杭列ＰＬの表面を化粧板Ｋで被覆する。
【００１９】
上記のように本実施例によれば、従来では拡幅不可能な河川における改修工事が可能となる。この場合従来の護岸の構造体を活用できるため、工期が短縮され工費が削減される上に、鋼管杭Ｐが大きな強度部材となり護岸の補強がなされる。
また、圧入のための反力を鋼管杭より得ることができるため装置がコンパクトになり、拡幅工事を行うための仮設工事を一切必要とせず、コンクリート護岸の改修工事が安全かつ効率よく行える。
なお、本実施例では、河川１０１について説明したが、沼、湖の堤防や海岸の防波堤についても適用でき同様の効果を奏する。
【実施例２】
【００２０】
次に、本発明の実施例２について説明する。
この実施例は、上記実施例１のように鋼管杭列ＰＬから反力を得ながら掘削用鋼管杭Ｐをコンクリート護岸１０２に圧入するが、この掘削用鋼管杭Ｐがコンクリート護岸１０２を打ち抜いて所定の深さまで到達したら圧入を停止する。
その後、鋼管杭圧入装置１１によって掘削用鋼管杭Ｐを引き抜いて、これによって掘削された穴の中に一般の鋼管杭Ｐを配置して圧入することで連続壁である鋼管杭列ＰＬを構築するものである。
【００２１】
本実施例は上記実施例１で説明した効果を有するが、さらに次の効果も有する。すなわちコンクリート護岸の部分だけを掘削用鋼管杭で掘削して、その後、土の部分は一般の鋼管杭すなわちビットなしの鋼管杭を圧入するため工事のコストダウンが図れるのである。
【実施例３】
【００２２】
実施例３は図４に示すもので、上記実施例１あるいは実施例２の鋼管杭Ｐをコンクリート護岸１０２の上端より河川側の位置に圧入するものである。
この実施例では、鋼管杭Ｐのコンクリート護岸１０２への圧入距離が短くなるため圧入が容易に行え、かつ撤去する土砂等も少量となりフーチングも一部分の撤去ですむため工期が短縮できるという長所がある。
【実施例４】
【００２３】
実施例４は図５に示すもので、護岸が道路より高く構築されている場合であり、このような護岸に対しては河川１０１側だけでなく、道路側のコンクリート護岸および土砂１０５も除去する。これによって、道路が広くなるというメリットがある。
また、この場合にも鋼管杭列ＰＬ上ですべての作業が行われるため、工事用のトラック等の往来もなく通行を妨げることはない。
【実施例５】
【００２４】
実施例５は図６に示すもので、コンクリート護岸１０７の基部のフーチング１０８に鋼管杭Ｐを圧入するものである。この実施例は既存の護岸の補強工事を目的とするものである。
【図面の簡単な説明】
【００２５】
【図１】鋼管杭の構築方法を説明する正面図
【図２】図１のI-I線断面図
【図３】図１のII−II線断面図
【図４】実施例３を示す説明図
【図５】実施例４を示す説明図
【図６】実施例５を示す説明図
【図７】従来の護岸の断面図
【符号の説明】
【００２６】
１１  鋼管杭圧入装置
１２  クレーン
１３  搬送装置
１４  台車
１５  浚渫装置
２０  レール
１０１  河川等
１０２  コンクリート護岸
１０３  川底
１０５  土砂等（拡幅部分）
Ｐ  鋼管杭（掘削用鋼管杭及び一般の鋼管杭）
Ｋ  化粧板
【図１】
2005133348.tif 000003
【図２】
2005133348.tif 000004
【図３】
2005133348.tif 000005
【図４】
2005133348.tif 000006
【図５】
2005133348.tif 000007
【図６】
2005133348.tif 000008
【図７】
2005133348.tif 000009